(57)【要約】【課題】  壁面等の障害物等に近接した場所の草を、絡ませることなく効率良く刈ることができる刈払機用案内具を提供すること。【解決手段】  操作杆５３の前端に設けた刈刃固定部５６から刈刃上部の前方に向けて延びるフレーム部６を設け、このフレーム部６の前端に、前記刈刃５５の前端から前方に突出する案内部８を設け、この案内部８の外形を、前記刈刃５５のほぼ中心線上で最前方に突出し、この突出位置から両側に向けてこの刈刃５５の円弧よりも小さい円弧で刈刃５５の外周よりも内側まで延び、この刈刃５５の外周と平面視で重なる角度αが鈍角となるように形成する。【選択図】  図１
2007185182.tif 000002
【特許請求の範囲】
【請求項１】
操作杆の前端に設けた刈刃固定部から刈刃上部の前方に向けて延びるフレーム部を設け、
該フレーム部の前端に、前記刈刃の前端から前方に突出する案内部を設け、
該案内部の外形を、前記刈刃のほぼ中心線上で最前方に突出し、該突出位置から両側に向けて該刈刃の円弧よりも小さい円弧で刈刃の外周よりも内側まで延び、該刈刃の外周と平面視で重なる角度が鈍角となるように形成した刈払機用案内具。
【請求項２】
前記フレーム部を、刈刃のほぼ中心線上に設けた棒状又は板状の部材で構成し、前記案内部を、該フレーム部の前端に設けた棒状又は板状の部材で構成したことを特徴とする請求項１に記載の刈払機用案内具。
【請求項３】
前記フレーム部を、前記刈刃の上部位置で該刈刃の刈り側に向けて屈曲させ、前記案内部を、該屈曲させたフレーム部の前部を、刈刃の外周よりも内側から該刈刃の円弧よりも小さい円弧で反刈り側に屈曲させて一体形成し、該案内部の外形を、該刈刃のほぼ中心線上で最前方に突出し、反刈り側の端部が刈刃の外周よりも内側まで延びるように形成したことを特徴とする請求項２に記載の刈払機用案内具。
【発明の詳細な説明】
【技術分野】
【０００１】
本発明は、雑草等を刈る刈払機に設ける案内具に関し、詳しくは、壁面等の障害物に近接した場所の草を刈る時に、刈刃が直接壁面等の障害物に接することなく、安全に刈刃を案内する刈払機用案内具に関する。
【背景技術】
【０００２】
従来より、庭の雑草や田畑の雑草等を刈るために刈払機が使用されている。図６の刈払機の全体を示す斜視図のように、一般的な刈払機５１は、内部に回転軸５２が支持された長尺の操作杆５３を有し、この操作杆５３の後端に駆動エンジン５４が設けられ、操作杆５３の前端に刈刃５５が取付けられている。刈刃５５は、前記駆動エンジン５４で回転駆動する前記操作杆５３の内部の回転軸５２によって回転させられ、通常、取付けられた状態で反時計回り（図に矢印で示す。）に回転させられて雑草等を刈るように構成されている。刈刃５５は、刈る雑草の種類等に応じて交換できるように構成されている。この刈刃５５は、操作杆５３の前端に設けられた刈刃固定部５６から下向きに取付軸５７が設けられ、この取付軸５７に下側からナット又はボルト５８をねじ込むことで取付けられている。５９は、操作杆５３に設けられた操作ハンドルであり、６０は、刈刃５５の作業者側に設けられたガードである。
【０００３】
このような刈払機５１で雑草を刈る場合、図７の刈払機による草刈り作業の一例を示す斜視図のように、一般的な平地では、刈刃５５が地面Ｇと平行になるように刈払機５１を吊りベルト６０で作業者Ｗの肩に掛け、作業者Ｗが前記操作ハンドル５９を持ち、この操作ハンドル５９で操作杆５３を左右に揺動させることによって刈刃５５を左右に移動させながら、前方や横方向に進むことによって草Ｍを刈る作業が行われる。前記したように、刈刃５５は、通常反時計回りに回転させられているので、通常、刈刃５５を左横方向（図７の紙面右方向）に移動させる時に多くの草Ｍを刈るように作業が行われる。
【０００４】
一方、この種の刈払機５１で壁面や大きな石、フェンス等の障害物（以下、「障害物等」という。）に近接した場所の草を刈る場合、回転する刈刃５５が障害物等に接すると、刈刃５５を損傷したり石等の場合には跳ね飛ばすことがあり、不安全な場合がある。
【０００５】
そこで、この種の従来技術として、刈刃の上部から前側に突出する補助具を設け、この補助具によって刈刃が障害物等と接しないようにしたものがある（例えば、特許文献１参照）。
【特許文献１】実開平５−２９３２９号公報（第２頁、図１，２）
【発明の開示】
【発明が解決しようとする課題】
【０００６】
しかしながら、前記特許文献１に記載された補助具の場合、補助具のガイドが刈刃の前端から前側に向けて広がる扇形に形成されているので、この刈刃を左右に移動させながら草を刈ると、長い草等の場合には刈った草が刈刃とガイドとの間に絡みつくおそれがある。また、刈刃とその上部に設けた補助具との間にスペーサを設けているので、このスペーサの部分にも刈った草が絡みつくおそれがある。この補助具やスペーサの部分に草が絡みつくと作業の続行が困難になるので、絡みついた草は除去する必要があるが、草刈り作業を行っている場所で絡みついた草を除去するには工具等もないので迅速に行うのが難しく、刈取り作業の効率を悪化させてしまう。
【０００７】
そこで、本発明は、障害物等に近接した場所の草を刈るときに、障害物等に刈刃が接することなく、また刈った草を刈刃に絡ませることなく安全に効率良く刈ることができる刈払機用案内具を提供することを目的とする。
【課題を解決するための手段】
【０００８】
前記目的を達成するために、本発明は、操作杆の前端に設けた刈刃固定部から刈刃上部の前方に向けて延びるフレーム部を設け、該フレーム部の前端に、前記刈刃の前端から前方に突出する案内部を設け、該案内部の外形を、前記刈刃のほぼ中心線上で最前方に突出し、該突出位置から両側に向けて該刈刃の円弧よりも小さい円弧で刈刃の外周よりも内側まで延び、該刈刃の外周と平面視で重なる角度が鈍角となるように形成している。この明細書及び特許請求の範囲の書類中における、「案内部の外形を、・・刈刃の外周と平面視で重なる角度が鈍角となるように形成」とは、刈刃外周の円弧と案内部外形の円弧とが交差する点における両円弧の接線が成す角度が鈍角となることをいう。また、「刈り側」とは、平面視の刈刃における左側をいう。これにより、刈刃の前端から前方に突出する案内部が障害物等に当接して刈刃が障害物等と接するのを防止することができると共に、刈刃を左右方向に移動させた時に障害物等に近接した草を案内部の円弧に沿って刈刃から離れる方向に移動させるので、刈刃で刈った草が刈刃に絡みつかないように草刈り作業を行うことができる。
【０００９】
また、前記フレーム部を、刈刃のほぼ中心線上に設けた棒状又は板状の部材で構成し、前記案内部を、該フレーム部の前端に設けた棒状又は板状の部材で構成してもよい。これにより、棒状又は板状の部材を加工することによってフレーム部と案内部とを簡単に形成することができる。この「棒状又は板状」は、断面の縦横比の違いによる表現の違いであり、この明細書及び特許請求の範囲の書類中における「棒状又は板状」は、それらの中間の縦横比も含む。
【００１０】
さらに、前記フレーム部を、前記刈刃の上部位置で該刈刃の刈り側に向けて屈曲させ、前記案内部を、該屈曲させたフレーム部の前部を、刈刃の外周よりも内側から該刈刃の円弧よりも小さい円弧で反刈り側に屈曲させて一体形成し、該案内部の外形を、該刈刃のほぼ中心線上で最前方に突出し、反刈り側の端部が刈刃の外周よりも内側まで延びるように形成してもよい。これにより、フレーム部から案内部までを一体的に形成して案内具の生産性を向上させることができる。
【発明の効果】
【００１１】
本発明は、以上説明したような手段により、障害物等に刈刃の前部を当接させることがなく、また刈った草が刈刃に絡まらないように安定した安全な草刈り作業を行うことが可能となる。
【発明を実施するための最良の形態】
【００１２】
以下、本発明の一実施の形態を図面に基づいて説明する。図１は本発明の第１実施の形態に係る刈払機用案内具を備えた刈払機の前端部分を示す斜視図であり、図２は図１に示す刈払機用案内具を示す平面図、図３は図１に示す第１実施の形態に係る刈払機用案内具における変形例を示す斜視図である。以下の説明では、前述した図６の刈払機５１における操作杆５３の前端部に設けた刈払機用案内具１を例に説明する。図６の刈払機５１と同一の構成には同一符号を付し、その詳細な説明は省略する。
【００１３】
図１，２に示すように、操作杆５３の前端には刈刃固定部５６が設けられており、この刈刃固定部５６の下側に刈刃５５が取付けられている。この刈刃５５は、操作杆５３の内部に設けられた回転軸５２によって回転させられる。操作杆５３の前端に設けられた刈刃固定部５６には、一般的な平地でほぼ斜め４５度程度で使用される操作杆５３と同軸上に設けられた回転軸５２の軸芯をほぼ４５度で角度変更した取付軸５７が設けられている。この回転軸５２と取付軸５７との間には、動力伝達するための歯車（図示略）が設けられている。この取付軸５７に刈刃５５の中心部を挿入し、ナット又はボルト５８で下側から固定することによって刈刃５５が刈刃固定部５６に取付けられている。これにより、刈刃固定部５６の下側で取付軸５７に固定された刈刃５５は、平地での使用時にはほぼ垂直の軸回りで回転させられる。この操作杆５３の角度や刈刃５５の取付軸５７の角度は一例であり、この実施の形態に限定されるものではない。なお、９は、刈刃５５の作業者側に設けられたガードである。
【００１４】
そして、この実施の形態では、刈刃固定部５６から刈刃上部の前方に向けて延びるように案内具１が設けられている。この案内具１は、刈刃固定部５６に取付けるための取付部２と、この取付部２から刈刃５５の前側に向けて延びるフレーム部６と、このフレーム部６の前端に設けられた案内部８とを備えている。
【００１５】
前記取付部２は、刈刃固定部５６の操作杆５３との接続部６１を跨ぐようなＵ字状に形成された棒状の取付材３と、この接続部６１を跨いだ状態の取付材３を接続部６１に固定するための固定板４と、この固定板４を取付材３に固定するナット５とから構成されている。
【００１６】
前記フレーム部６は、前記取付材３に基部７が溶接された棒状の部材で形成されている。このフレーム部６は、取付材３に溶接された位置から前方に延び、前記刈刃固定部５６の前部付近で下向きに屈曲し、刈刃５５の上面に近づいた位置で刈刃５５の上面とほぼ平行となるように屈曲し、そのまま刈刃５５の前部まで刈刃５５の上面とほぼ平行に延びるように形成されている。
【００１７】
前記案内部８は、前記フレーム部６の前端に溶接された棒状の部材で形成されている。この案内部８は、平面視が刈刃５５の外周の円弧よりも小さい円弧となるように形成されており、前記フレーム部６の前端に固定された状態で、刈刃５５のほぼ中心線Ｃ上の前端が最前方に所定量突出するように形成されている。また、この案内部８の両側部は、円弧を描きながら刈刃５５の外周よりも内側に入る大きさで形成されており、平面視において、案内部８の外形を刈刃５５の外周と重なる角度が鈍角となるように形成している。
【００１８】
また、図３に示すように、前記フレーム部６は、板状の部材で形成されていてもよい。このフレーム部６も、前記図１と同様の形態に形成されている。図では、取付材３に長辺側を横向きにして溶接された位置から前方に延び、前記刈刃固定部５６の前部付近で下向きに屈曲し、刈刃５５の上面に近づいた位置で刈刃５５の上面とほぼ平行となるように屈曲し、そのまま刈刃５５の前部まで刈刃５５の上面とほぼ平行に延びるように形成されている。このフレーム部６の前端に、板状の案内部８が溶接されている。この案内部８は長辺側を縦向きにして溶接されている。この案内部８も、平面視が刈刃５５の外周の円弧よりも小さい円弧となるように形成されており、刈刃５５のほぼ中心線Ｃ上で刈刃５５から前方に突出し、刈刃５５の外周と重なる角度が鈍角となるような外形に形成されている。
【００１９】
図２に示すように、この実施の形態では、平面視において、案内部８の外形が刈刃５５の外周と重なる角度が鈍角となるように、案内部８の外形の円弧を刈刃５５の外周の円弧よりも小さくし、刈刃５５の円弧と案内部８の円弧との交点Ｐにおける両円弧の接線Ｌ１，Ｌ２が成す角度αが鈍角となるような各円弧にし、案内部８が刈刃５５の前端から所定量突出するように配置している。
【００２０】
以上のように構成された第１実施の形態の刈払機用案内具１によれば、操作杆５３を揺動させながら草を刈る時の刈刃５５は、図２に示すように、刈刃５５が左回転であるため、図の上側の刈り側において多く刈ることができ、障害物等Ｓ（図に二点鎖線で示す。）の近傍を刈るときには、刈刃５５の前端から突出する案内具１の案内部８が障害物等Ｓに当接し、刈刃５５が障害物等Ｓに当接するのを防ぐことができる。
【００２１】
また、この状態で案内部８を障害物等Ｓに沿って横方向に移動（図に矢印Ｖで示す方向）させることにより、刈刃５５の左側で多くの草を刈ることができるとともに、この刈刃５５と障害物等Ｓとの間では案内部８の外形が円弧を描きながら刈刃５５の上面まで延び、この案内部８の外形と刈刃５５の外周とが重なる点（交差する点）における平面視の角度αが鈍角で形成されているので、刈刃５５の前部における障害物等Ｓの近傍に位置する草Ｍは、刈刃５５で刈られるか、案内部８に沿って刈刃５５から離れる方向に傾けられ、草Ｍが刈刃５５と案内具１との間に絡まることがなく安全に草刈り作業を行うことができる。この草Ｍの動きは、図１にも示す。
【００２２】
図４は本発明の第２実施の形態に係る刈払機用案内具を備えた刈払機の前端部分を示す平面図である。この第２実施の形態は、前記第１実施の形態におけるフレーム部６と案内部８の形態が異なっている。以下の説明では、前記第１実施の形態における構成と異なる構成について説明し、同一の構成には同一符号を付して、その詳細な説明は省略する。また、この実施の形態では、棒状のフレーム部１６を例に説明するが、板状に形成されていてもよい。
【００２３】
図示するように、この第２実施の形態の案内具１１は、前記刈刃固定部５６に取付けるための取付部２は前記第１実施の形態における構成と同一であるが、この取付部２から前側の形態が異なっている。前記取付部２には、刈刃５５の前側に向けて延びるフレーム部１６が設けられている。この第２実施の形態のフレーム部１６も、前記取付部２に基部１７が溶接された棒状の部材で形成されている。このフレーム部１６は、取付部２に溶接された位置から前側に延び、前記刈刃固定部５６の前部付近で下向きに屈曲し、刈刃５５の上面に近づいた位置で刈刃５５の上面とほぼ平行となるように屈曲している（図１と同様に屈曲している。）。
【００２４】
そして、この第２実施の形態では、フレーム部１６の刈刃中央付近から、刈刃上面とほぼ平行のままで刈刃５５の刈り側（図の上側）に向けて斜めに屈曲させて、刈刃５５の外周近くまで刈刃５５の上面とほぼ平行に延びるように形成されている。また、この屈曲させたフレーム部１６に連なるように、刈刃５５の外周よりも内側から刈刃５５の前側に突出するように屈曲させた案内部１８が形成されている。この案内部１８は、刈刃５５の円弧よりも小さい円弧で、刈刃５５のほぼ中心線Ｃ上の前端が最前方に所定量突出するような円弧で形成されている。この実施の形態では、この案内部１８を前記フレーム部１６と同一の部材を曲げ加工することによって一体形成している。この案内部１８の反回転方向の端部は、刈刃５５の外周よりも内側まで延びている。
【００２５】
このように、この第２実施の形態では、案内具１１のフレーム部１６と案内部１８とが、１つの棒状の部材を曲げ加工することによって一体形成されている。この第２実施の形態では棒状の部材を曲げてフレーム部１６と案内部１８とを一体形成しているが、これら全体が棒状の部材でなくてもよい。
【００２６】
さらに、この第２実施の形態でも、平面視において、案内部１８の外形が刈刃５５の外周と重なる角度が鈍角となるように、案内部１８の外形の円弧を刈刃５５の外周の円弧よりも小さくし、刈刃５５の円弧と案内部１８の円弧との交点Ｐにおける両円弧の接線Ｌ１，Ｌ２が成す角度αが鈍角となるような各円弧にし、案内部８が刈刃５５の前端から所定量突出するように配置している。
【００２７】
以上のように構成された第２実施の形態の刈払機用案内具１１によっても、障害物等のない場所では左回転の刈刃によって図の左側において多くの草を刈ることができ、障害物等Ｓ（図に二点鎖線で示す。）の近傍を刈るときには、刈刃５５の前端から突出する案内具１１の案内部１８が障害物等Ｓに当接し、刈刃５５が障害物等Ｓに当接するのを防ぐことができる。また、この状態で案内部１８を障害物等Ｓに沿って横方向に移動（図に矢印Ｖで示す方向）させることにより、刈刃５５の左側で障害物等Ｓの近傍の草を刈ることができ、この時の刈刃５５と障害物等Ｓとの間の草Ｍは、案内部１８の外形が円弧を描きながら刈刃５５の上面まで延び、この案内部１８の外形と刈刃５５の外周とが平面視において重なる点Ｐにおける角度αが鈍角で形成されているので、刈刃５５の前部における障害物等Ｓの近傍に位置する草Ｍは、刈刃５５で刈られるか、案内部１８に沿って刈刃５５から離れる方向に傾けられ、草Ｍが刈刃５５と案内具１１との間に絡まることがなく安全に草刈り作業を行うことができる。
【００２８】
しかも、この第２実施の形態の刈払機用案内具１１の場合、フレーム部１６と案内部１８とを曲げ加工によって一体的に形成するので、前記第１実施の形態の案内具１に比べて生産効率良く製造することができ、生産性の向上や製造コストの抑止が可能である。
【００２９】
図５は本発明の第３実施の形態に係る刈払機用案内具を備えた刈払機の前端部分を示す図面であり、(a) は平面図、(b) は前部の側面図である。この第３実施の形態は、前記第１実施の形態における案内部８の形態が異なっている。以下の説明では、前記第１実施の形態における構成と異なる構成について説明し、同一の構成には同一符号を付して、その詳細な説明は省略する。
【００３０】
図示するように、この第３実施の形態の案内具２１は、前記刈刃固定部５６に取付けるための取付部２は前記第１実施の形態における構成と同一であるが、この取付部２から前側の形態が異なっている。前記取付部２には、刈刃５５の前側に向けて延びるフレーム部２６が設けられている。この第３実施の形態のフレーム部２６も、前記取付部２に基部２７が溶接された棒状の部材で形成されている。
【００３１】
このフレーム部２６は、取付部２に溶接された位置から前側に延び、前記刈刃固定部５６の前部付近で下向きに屈曲し、刈刃５５の上面に近づいた位置で刈刃５５の上面とほぼ平行となるように屈曲し（図１参照）、そのまま刈刃５５の前部まで刈刃５５の上面とほぼ平行に延びるように形成されている。
【００３２】
そして、この第３実施の形態では、フレーム部２６の前端が、ほぼ刈刃５５の前端付近で下向きに屈曲させられ、この下向きに屈曲した部分に、軸受２９を介して案内部たる案内ローラ２８が設けられている。３０は、案内ローラ２８と軸受２９との止め座である。この案内ローラ２８は、軸心が刈刃５５の外周よりも少し内側に位置し、この軸心から刈刃５５のほぼ中心線Ｃ上で最前方に所定量突出するような直径で形成されている。この突出量としては、平面視において、案内ローラ２８の外形と刈刃５５の外周とが重なる交点Ｐにおける角度αが鈍角となり、刈刃５５の前端が障害物等Ｓに当接しないような突出量に設定される。すなわち、案内ローラ２８の外周の円弧を刈刃５５の外周の円弧よりも小さくし、平面視において、この案内ローラ２８の円弧と刈刃５５の円弧との交点Ｐにおける両円弧の接線Ｌ１，Ｌ２が成す角度αが鈍角となるようにしている。
【００３３】
以上のように構成された第３実施の形態の刈払機用案内具２１によっても、障害物等のない場所では左回転の刈刃によって図の左側において多くの草を刈ることができ、障害物等Ｓ（図に二点鎖線で示す。）の近傍を刈るときには、刈刃５５の前端から突出する案内具２１の案内ローラ２８が障害物等Ｓに当接し、刈刃５５が障害物等Ｓに当接するのを防ぐことができる。
【００３４】
また、この状態で案内ローラ２８を障害物等Ｓに沿って横方向に移動（図に矢印Ｖで示す方向）させることにより、刈刃５５の左側で障害物等Ｓの近傍の草Ｍを刈ることができ、この時の刈刃５５と障害物等Ｓとの間の草Ｍは、案内ローラ２８の外周（外形）が刈刃５５の上面と重なり、この案内ローラ２８の外周と刈刃５５の外周とが平面視において重なる点おける平面視の角度αが鈍角で形成されているので、刈刃５５の前部における障害物等Ｓの近傍に位置する草Ｍは、刈刃５５で刈られるか、案内ローラ２８に沿って刈刃５５から離れる方向に傾けられ、草Ｍが刈刃５５と案内具２１との間に絡まることがなく安全に草刈り作業を行うことができる。
【００３５】
しかも、この第３実施の形態の案内具２１の場合、案内ローラ２８が回転するので、前記第１，第２実施の形態の案内具１，１１に比べて障害物等Ｓとの接触抵抗を低減させることができるので、案内部たる案内ローラ２８が障害物等Ｓに接した状態でスムーズな移動が可能となる。
【００３６】
なお、前述した実施の形態は一例を示しており、本発明の要旨を損なわない範囲での種々の変更は可能であり、本発明は前述した実施の形態に限定されるものではない。
【産業上の利用可能性】
【００３７】
本発明に係る刈払機用案内具は、壁面等の障害物に近接した場所の草刈りを行う場合に利用できる。
【図面の簡単な説明】
【００３８】
【図１】本発明の第１実施の形態に係る刈払機用案内具を備えた刈払機の前端部分を示す斜視図である。
【図２】図１に示す刈払機用案内具を示す平面図である。
【図３】図１に示す第１実施の形態に係る刈払機用案内具における変形例を示す斜視図である。
【図４】本発明の第２実施の形態に係る刈払機用案内具を備えた刈払機の前端部分を示す平面図である。
【図５】本発明の第３実施の形態に係る刈払機用案内具を備えた刈払機の前端部分を示す図面であり、(a) は平面図、(b) は前部の側面図である。
【図６】従来から利用されている刈払機の全体を示す斜視図である。
【図７】図６の刈払機による草刈り作業の一例を示す斜視図である。
【符号の説明】
【００３９】
１…案内具
２…取付部
３…取付材
４…固定板
５…ナット
６…フレーム部
７…基部
８…案内部
１１…刈払機用案内具
１６…フレーム部
１８…案内部
２１…刈払機用案内具
２６…フレーム部
２８…案内ローラ
Ｃ…中心線
Ｐ…交点
Ｌ１，Ｌ２…接線
α…角度
Ｓ…障害物等
５１…刈払機
５２…回転軸
５３…操作杆
５５…刈刃
５６…刈刃固定部
Ｗ…作業者
Ｍ…草
【図１】
2007185182.tif 000003
【図２】
2007185182.tif 000004
【図３】
2007185182.tif 000005
【図４】
2007185182.tif 000006
【図５】
2007185182.tif 000007
【図６】
2007185182.tif 000008
【図７】
2007185182.tif 000009